(57)【要約】【課題】カセッテにおける良好な無線通信を可能にするとともにカセッテの電力消費を抑えること。【解決手段】カセッテ６が放射線撮影装置３Ａ、３Ｂのいずれかの検出箇所にセットされたことをカセッテ６内の加速度センサ６８により検出する。そして加速度センサ６８によりセットされたことを検出した後、コントローラ５は複数のアンテナ４Ａ、４Ｂのうち通信状態が良いアンテナを選択し、選択したアンテナを用いてカセッテ６から無線で送信された放射線画像データを受信する。【選択図】図２
2010197679.tif 000002
【特許請求の範囲】
【請求項１】
被写体を透過した放射線を検出して放射線画像データを取得するデータ取得部と、当該データ取得部により取得した放射線画像データを無線で送信する送信部と、を備える可搬型の放射線画像検出カセッテと、
複数のアンテナに接続され、前記送信部により無線で送信された放射線画像データを受信する受信部と、
前記放射線画像検出カセッテが検出箇所にセットされたことを検出する検出部と、
を有し、
前記放射線画像検出カセッテが検出箇所にセットされたことを前記検出部が検出した後、前記受信部は前記複数のアンテナのうち前記送信部との通信状態が良いアンテナを選択し、選択したアンテナを用いて前記送信部により無線で送信された放射線画像データを受信することを特徴とする放射線画像取得システム。
【請求項２】
前記放射線画像検出カセッテが検出箇所にセットされたことを前記検出部が検出した後、前記送信部と前記複数のアンテナとの間の通信状態を確認し、前記送信部と前記複数のアンテナとの間の通信状態が正常ではない場合に、前記送信部への通電を停止する請求項１に記載の放射線画像取得システム。
【請求項３】
前記検出部は、前記放射線画像検出カセッテ内に設置された加速度センサである請求項１又は２に記載の放射線画像取得システム。
【請求項４】
前記加速度センサは、前記放射線画像検出カセッテの中央部に設置されている請求項３に記載の放射線画像取得システム。
【請求項５】
被写体を透過した放射線を検出して放射線画像データを取得するデータ取得部と、
複数のアンテナに接続された受信部に対し、前記データ取得部により取得した放射線画像データを無線で送信する送信部と、
放射線画像検出カセッテが検出箇所にセットされたことを検出する検出部と、
を有することを特徴とする放射線画像検出カセッテ。
【請求項６】
前記放射線画像検出カセッテが検出箇所にセットされたことを前記検出部が検出した後、前記送信部と前記複数のアンテナとの間の通信状態を確認し、前記送信部と前記複数のアンテナとの間の通信状態が正常ではない場合に、前記送信部への通電を停止する請求項５に記載の放射線画像検出カセッテ。
【請求項７】
前記検出部は、放射線画像検出カセッテ内に設置された加速度センサである請求項５又は６に記載の放射線画像検出カセッテ。
【請求項８】
前記加速度センサは、前記放射線画像検出カセッテの中央部に設置されている請求項７に記載の放射線画像検出カセッテ。
【発明の詳細な説明】
【技術分野】
【０００１】
本発明は、放射線画像取得システム及び放射線画像検出カセッテに関する。
【背景技術】
【０００２】
医療診断の場において、ＣＲ（Ｃｏｍｐｕｔｅｄ  Ｒａｄｉｏｇｒａｐｈｙ）カセッテに内蔵された蛍光体プレートを励起光で走査することにより放射線画像データを読み取る読取装置と、当該読取装置で読み取られた放射線画像データを取得する制御装置（コンソール）とを用いたＣＲシステムが実用化されている（特許文献１参照）。
【０００３】
更に、上述したＣＲカセッテに代わり、基板上に２次元的に配列された放射線検出素子を内蔵し、当該放射線検出素子に照射された放射線量に応じた電気信号を出力することが可能なＦＰＤ（Ｆｌａｔ  Ｐａｎｅｌ  Ｄｅｔｅｃｔｏｒ）が提案されている。このＦＰＤを用いれば、励起光を照射して放射線画像を読み取る読取装置を必要とせず、直接的に放射線画像のデータを得ることが出来る。その結果、ＣＲシステムよりもシステム自体を小型化することが可能となり、また撮影作業も円滑となる。
【０００４】
このＦＰＤは放射線撮影室に設置されているものがあるが、より迅速且つ広範囲な部位の撮影を可能とするため、可搬型で無線通信を可能とするカセッテ型のＦＰＤが提案されている（特許文献２参照）。
【０００５】
ＦＰＤで採用される無線通信は、数ＧＨｚのＵＷＢ（Ｕｌｔｒａ  Ｗｉｄｅ  Ｂａｎｄ；超広帯域）を利用するものであり、他の医療機器に影響を与えないレベルの小出力による通信である。カセッテ型のＦＰＤは、撮影台に設けられたカセッテ収容部に装填されて撮影に供されることが多いことから、カセッテ収容部を構成する部材や撮影される被写体により電波が遮蔽されてしまい、無線通信が阻害される場合がある。
【０００６】
そこで、無線通信の阻害を考慮し、カセッテ型のＦＰＤにおいて適切に無線通信を行う技術が提案されている。特許文献３に記載された技術は、カセッテに無線通信用の複数のアンテナを設置し、無線通信の状態を常時監視するという技術である。特許文献３に記載された技術によれば、カセッテにおける複数のアンテナと、コンソール（カセッテから送信される放射線画像データを受信するものである）との間の通信状態を常時監視し、複数のアンテナの中から通信状態が良好なアンテナを選択して無線通信を行うため、良好に無線通信を行うことが出来る。
【先行技術文献】
【特許文献】
【０００７】
【特許文献１】特開２００２−１５８８２０号公報
【特許文献２】特開２００２−２４８０９５号公報
【特許文献３】国際公開第２００６／１０１２３１号パンフレット
【発明の概要】
【発明が解決しようとする課題】
【０００８】
しかし、特許文献３に記載された技術では、複数のアンテナの中から通信状態が良好なアンテナを選択するために、複数のアンテナを駆動するデバイスを常時ＯＮして、複数のアンテナとコンソールとの間を常時通信している状態にする必要がある。つまり、良好な通信状態を確保するために、複数のアンテナを駆動するデバイスを常時ＯＮすることによりカセッテ内で多くの電力を消費してしまい、カセッテの駆動時間が短くなってしまう等の問題が発生してしまう。
【０００９】
そこで、本発明の目的は、カセッテにおける良好な無線通信を可能にするとともにカセッテの電力消費を抑える放射線画像取得システム及び放射線画像検出カセッテを提供することにある。
【課題を解決するための手段】
【００１０】
上記目的を達成するため、本発明に係る放射線画像取得システムは、
被写体を透過した放射線を検出して放射線画像データを取得するデータ取得部と、当該データ取得部により取得した放射線画像データを無線で送信する送信部と、を備える可搬型の放射線画像検出カセッテと、
複数のアンテナに接続され、前記送信部により無線で送信された放射線画像データを受信する受信部と、
前記放射線画像検出カセッテが検出箇所にセットされたことを検出する検出部と、
を有し、
前記放射線画像検出カセッテが検出箇所にセットされたことを前記検出部が検出した後、前記受信部は前記複数のアンテナのうち前記送信部との通信状態が良いアンテナを選択し、選択したアンテナを用いて前記送信部により無線で送信された放射線画像データを受信することを特徴とするものである。
【００１１】
また、本発明に係る放射線画像検出カセッテは、
被写体を透過した放射線を検出して放射線画像データを取得するデータ取得部と、
複数のアンテナに接続された受信部に対し、前記データ取得部により取得した放射線画像データを無線で送信する送信部と、
放射線画像検出カセッテが検出箇所にセットされたことを検出する検出部と、
を有することを特徴とするものである。
【発明の効果】
【００１２】
本発明に係る放射線画像取得システム及び放射線画像検出カセッテによれば、カセッテにおける良好な無線通信を可能にするとともにカセッテの電力消費を抑えることが出来る。
【図面の簡単な説明】
【００１３】
【図１】放射線撮影装置を示す概略図である。
【図２】放射線画像取得システムを示す概略図である。
【図３】コントローラとアクセスポイントの要部構成を示すブロック図である。
【図４】カセッテの要部構成を示すブロック図である。
【図５】コンソールの要部構成を示すブロック図である。
【図６】最適なアンテナを選択する動作を示すフローチャート図である。
【図７】臥位撮影台の周辺に複数のアンテナが設置された状態を示す説明図である。
【発明を実施するための形態】
【００１４】
［放射線画像取得システム］
本実施形態における放射線画像取得システムについて図１及び図２に基づいて説明する。図１は放射線撮影装置を示す概略図である。図２は放射線画像取得システムを示す概略図である。
【００１５】
図１（ａ）に示すように、３Ａは撮影台として立位撮影台３２を用いた放射線撮影装置であり、また、図１（ｂ）に示すように、３Ｂは臥位撮影台３３を用いた放射線撮影装置である。図１（ａ）、図１（ｂ）において、３０Ａ、３０Ｂは放射線照射部、３１Ａ、３１Ｂはカセッテ（放射線画像検出カセッテ）６を挿入するカセッテ装着部である。カセッテ６に関する詳しい説明は後述する。カセッテ装着部３１Ａ、３１Ｂに装着することにより撮影台に取り付けられたカセッテ６は、放射線照射部３０Ａ、３０Ｂから照射して被写体Ｐを透過した放射線から放射線画像データを取得する。
【００１６】
図２において、２は放射線撮影に関する情報を管理する管理サーバである。４Ａ、４Ｂは放射線撮影装置３Ａ、３Ｂの周辺であって特にカセッテ装着部３１Ａ、３１Ｂの近傍に設けてセットされたカセッテ６と無線通信を行うためのアンテナである。５はアンテナ４Ａ、４Ｂに接続され、カセッテ６より無線で送信された放射線画像データを受信するコントローラ（受信部）である。７はカセッテ６により取得された放射線画像データに画像処理を行う制御端末として機能するコンソールである。
【００１７】
管理サーバ２、アンテナ４Ａ、４Ｂ、コントローラ５、コンソール７は相互にネットワークＮを通じて接続可能としている。なお、ここでは図示してないが、放射線画像取得システム１は、被写体診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００１８】
［コントローラとアクセスポイント］
図３は、アンテナ４Ａ、４Ｂと、コントローラ５の要部構成を示すブロック図である。図３に示すように、コントローラ５は、制御部５１、ＲＯＭ（Ｒｅａｄ  Ｏｎｌｙ  Ｍｅｍｏｒｙ）５２、ＲＡＭ（Ｒａｎｄｏｍ  Ａｃｃｅｓｓ  Ｍｅｍｏｒｙ）５３、記憶部５４、通信部５５、電波強度測定部５６を備えており、各部はバスを介して接続されている。
【００１９】
制御部５１は、ＣＰＵ（Ｃｅｎｔｒａｌ  Ｐｒｏｃｅｓｓｉｎｇ  Ｕｎｉｔ）等から構成され、ＲＯＭ５２に格納される所定のプログラムを読み出してＲＡＭ５３の作業領域に展開し、当該プログラムに従って各種処理を実行するように構成されている。
【００２０】
記憶部５４には、通信部５５を経由して取得した放射線画像データが保存される。
【００２１】
電波強度測定部５６は、通信部５５を介して接続されたアンテナ４Ａ、４Ｂにおける電波強度を測定するものである。
【００２２】
アンテナ４Ａ、４Ｂにおいて、４１Ａ、４１Ｂはカセッテ６と無線通信する無線通信部であり、４２Ａ、４２Ｂはコントローラ５と有線の通信を行う通信部である。無線通信部４１Ａ、４１Ｂの無線通信方式としては例えば、無線ＬＡＮ（例えば、ＩＥＥＥ８０１．１１ａ／ｂ／ｇ／ｎ）又はＵＷＢ規格（例えばＣｅｒｔｉｆｉｅｄ  Ｗｉｒｅｌｅｓｓ  ＵＳＢ）を用いる。
【００２３】
［カセッテ］
図４は、カセッテ６の要部構成を示すブロック図である。同４に示すように、カセッテ６は、制御部６１、ＲＯＭ６２、ＲＡＭ６３、撮像パネル６４、電源部６５、記憶部６６、無線通信部６７を備え、各部はバスにより接続されている。
【００２４】
制御部６１は、例えば、ＣＰＵ等から構成され、ＲＯＭ６２に記憶されている制御プログラムを読み出してＲＡＭ６３内に形成されたワークエリアに展開し、当該制御プログラムに従ってカセッテ６の各部を制御する。
【００２５】
ＲＯＭ６２は、不揮発性の半導体メモリ等により構成され、制御部６１で実行される制御プログラム、各種プログラム等を記憶する。
【００２６】
ＲＡＭ６３は、制御部６１により実行制御される各種処理において、ＲＯＭ６２から読み出された制御部６１で実行可能な各種プログラム、入力若しくは出力データ、及びパラメータ等を一時的に記憶するワークエリアを形成する。
【００２７】
撮像パネル（データ取得部）６４は、放射線画像データを取得する。撮像パネル６４は、例えば、ガラス基板等を有しており、基板上の所定位置には、放射線管球から照射されて少なくとも被写体を透過した放射線をその強度に応じて検出し、検出した放射線を電気信号に変換して蓄積する複数の検出素子がマトリックス状に配列されている。
【００２８】
撮像パネル６４としては、図示は省略するが、例えば、放射線を蛍光（光）に変換する放射線光変換層と、放射線光変換層により変換された蛍光を検出して電気信号に変換する光電変換層とを備える間接型のもの、また、放射線光変換層及び光電変換層に替えて、放射線を直接電荷に変換する放射線受光部を有する放射線電気信号変換層を備える直接型のもの等が挙げられる。なお、間接型のものは直接型のもので用いる高圧電源が不要であるため好ましい。
【００２９】
電源部６５は、カセッテ６を構成する複数の駆動部（制御部６１、撮像パネル６４、記憶部６６など）に電力を供給する。この電源部６５は、例えば充電自在な充電池として構成されており、充電用端子を図示しないクレードルに接続することにより充電することが可能である。
【００３０】
記憶部６６は、例えばフラッシュメモリ等の不揮発性メモリやＲＡＭから構成され、撮像パネル６４に蓄積された電気信号が読み取られることにより取得された、複数回分の撮影に相当する放射線画像データを記憶可能となっている。
【００３１】
無線通信部（送信部）６７は、ＩＥＥＥ８０２．１１規格に準拠した無線ＬＡＮにより、アンテナ４Ａ、４Ｂを介して、コンソール７との間で各種情報の無線通信を行うものである。
【００３２】
加速度センサ（検出部）６８は、例えばＸ軸方向、Ｙ軸方向の加速度を検出する２軸タイプのものや、Ｘ軸方向、Ｙ軸方向、Ｚ軸方向の加速度を検出する３軸タイプのものである。加速度センサ６８における出力信号の波形に基づき、カセッテ６が静止状態から運搬状態（ユーザーが運んでいる状態）に変化したことや、カセッテ６が運搬状態から静止状態に変化したことを検出することが出来る。具体的には、カセッテ６の静止状態では加速度センサ６８における出力信号の波形のピーク値は低いが、運搬状態に変化すると波形のピーク値が高くなるため、このピーク値の変化を検出することにより、カセッテ６が静止状態から運搬状態（ユーザーが運んでいる状態）に変化したこと等を検出することが出来る。
【００３３】
なお、カセッテ６における加速度センサ６８の設置位置はカセッテ６における中央部であることが好ましい。例えば、加速度センサ６８がカセッテ６の端に設置されていると、加速度センサ６８が設置されていない方の端をユーザーが持ってカセッテ６を運搬する場合は、加速度センサ６８周辺が大きく振れて加速度の値が高く検出されるが、加速度センサ６８が設置されている方の端をユーザーが持ってカセッテ６を運搬する場合は、加速度センサ６８周辺があまり振れず加速度の値が低く検出されることになる。つまり、加速度センサ６８がカセッテ６の端に設置されていると運搬時におけるユーザーの持ち方によって検出する加速度の値が変化してしまう。しかし、加速度センサ６８をカセッテ６の中央部に設置すると、ユーザーの持ち方に左右されず、カセッテ６が運搬される際に常時所定値以上の加速度を検出することができ、加速度の検出動作を適切に行うことが出来る。
【００３４】
［コンソール］
図５は、コンソール７の要部構成を示すブロック図である。同５に示すように、コンソール７は制御部７１、ＲＯＭ７２、ＲＡＭ７３、表示部７４、通信部７５、入力操作部７６、記憶部７７を備え、各部はバスにより接続されている。
【００３５】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部７１から送られる表示信号の指示に従って、被写体リスト、各種のメッセージや画像等、各種画面を表示するものである。
【００３６】
入力操作部７６は、例えば、キーボードやマウス等から構成されており、キーボードで押下操作されたキーの押下信号やマウスによる操作信号を入力信号として制御部７１に対して出力するものである。なお、入力操作部７６は、表示部７４の表示画面を覆う透明なシートパネルに、指又は専用のスタイラスペンで触れることにより入力される位置情報を入力信号として制御部７１に出力する、いわゆる、タッチパネルにより構成されていてもよい。
【００３７】
［アンテナの選択］
前述したようにカセッテ６は、立位撮影台３２を用いた放射線撮影装置３Ａや臥位撮影台３３を用いた放射線撮影装置３Ｂにセットされて被写体Ｐの放射線画像の撮影に利用される。カセッテ６において取得した放射線画像データは無線でアンテナ４Ａ、４Ｂやコントローラ５に送信されるわけであるが、カセッテ６とアンテナ４Ａ、４Ｂとの間が良好な通信状態でないと、カセット６から無線で送信された放射線画像データをコントローラ５において受信することが出来ない。従って、図２に示すように放射線画像取得システム１において良好な通信状態を確保するためには、放射線撮影装置３Ａにカセッテ６がセットされて撮影を行う場合に、放射線撮影装置３Ａに近接するアンテナ４Ａがコントローラ５によって選択され、放射線撮影装置３Ｂにカセッテ６がセットされて撮影を行う場合は、放射線撮影装置３Ｂに近接するアンテナ４Ｂがコントローラ５によって選択される必要がある。
【００３８】
また、どちらのアンテナを選択するにしても、常時２つのアンテナ４Ａ、４Ｂの通信状態を監視して選択するような方法では、少なくともカセッテ６内の無線通信部６７を常時ＯＮして、カセッテ６とアンテナ４Ａ、４Ｂとの間で常時通信している状態にする必要がある。つまり、良好な通信状態を確保するために、カセッテ６の電源部６５で多くの電力を消費してしまう。
【００３９】
そこで、良好な無線通信を可能にするとともにカセッテ６の電力消費を抑えるべく、放射線画像取得システム１では、カセッテ６が放射線画像の検出箇所（被写体を透過した放射線を検出する箇所）にセットされた際に通信状態を確認し、通信状態が良いアンテナを選択するようにする。以下、この動作について図６を用いて詳しく説明する。
【００４０】
図６は、最適なアンテナを選択する動作を示すフローチャート図である。図６における動作は、カセッテ６とコントローラ５における電源がＯＮされてから、アンテナ４Ａ、４Ｂの中から通信状態が良いアンテナを選択するまでの動作を示す。ステップＳ１〜Ｓ８はカセッテ６における動作、ステップＳ１１〜Ｓ１４はコントローラ５における動作を示す。なお、図６における動作前の状態としては、カセッテ６が放射線撮影装置３Ａ、３Ｂにはセットされておらず、他の場所に設置されたクレードルにセットされて充電中であるとする。
【００４１】
まず、カセッテ６における電源がＯＮになると（ステップＳ１）、カセッテ６における制御部６１、ＲＯＭ６２、ＲＡＭ６３、加速度センサ６８が通電され（電源部６５における電力消費を抑えるため、電源がＯＮになった当初は必要な部分のみが通電される）、カセッテ６における加速度センサ６８を利用してカセッテ６が放射線撮影装置３Ａ、３Ｂに向けて運搬されている状態なのか否か検出する（ステップＳ２）。加速度センサ６８における出力信号の波形のピーク値が所定の閾値以上になればカセッテ６が動いていると判断出来るため、ピーク値が所定の閾値以上になった際にカセッテ６が放射線撮影装置３Ａ、３Ｂに向けて運搬されている状態であると検出する。
【００４２】
ステップＳ２においてカセッテ６が放射線撮影装置３Ａ、３Ｂに向けて運搬されている状態であると検出すると（ステップＳ２；Ｙｅｓ）、加速度センサ６８における出力信号のモニタリングを開始し（ステップＳ３）、カセッテ６が放射線撮影装置３Ａ、３Ｂにおいてセットされた状態か否か検出する（ステップＳ４）。セットされた状態とは、カセッテ６が放射線撮影装置３Ａ、３Ｂにおけるカセッテ装着部３１Ａ、３１Ｂに挿入され、放射線画像の検出箇所（被写体を透過した放射線を検出する箇所）にセットされた状態をいう。カセッテ６が放射線撮影装置３Ａ、３Ｂにセットされると、カセッテ６の動きが停止し、加速度センサ６８における波形のピーク値が所定の閾値以下になる。そこで出力信号をモニタリングし、波形のピーク値が所定の閾値以下になった際にカセッテ６が放射線撮影装置３Ａ、３Ｂにおいてセットされた状態であると検出する。
【００４３】
ステップＳ４においてカセッテ６が放射線撮影装置３Ａ、３Ｂにおいてセットされた状態であると検出すると（ステップＳ４；Ｙｅｓ）、カセッテ６における無線通信部６７がＯＮし（ステップＳ５）、その後でカセッテ６とアンテナ４Ａ、４Ｂとの間で通信が正常であるか否か判断する（ステップＳ６）。ステップＳ６における動作は、例えばカセッテ６における無線通信部６７から所定の信号をアンテナ４Ａ、４Ｂにおける無線通信部４１Ａ、４１Ｂへ送信し、アンテナ４Ａ、４Ｂに接続されたコントローラ５から所定の信号が返信されたことをカセッテ６における無線通信部６７が所定時間内に検出した場合に通信が正常であると判断し、所定時間内に検出しない場合に正常ではないと判断するような方法により行う。
【００４４】
ステップＳ６において通信が正常ではないと判断すると（ステップＳ６；Ｎｏ）、このまま無線通信部６７をＯＮし続けても電源部６５における電力が消費されるだけであるので、無線通信部６７をＯＦＦ（通電を停止）し、ステップＳ２に戻ってカセッテ６が放射線撮影装置３Ａ、３Ｂに向けて運搬されている状態なのか否か検出するようにする。このように通信が正常ではない場合にカセッテ６内の不要な部分をＯＦＦすることにより電力の消費を抑えることが出来る。
【００４５】
一方、ステップＳ６において通信が正常であると判断すると（ステップＳ６；Ｙｅｓ）、カセッテ６のセットが完了した旨の情報であるセット情報をカセッテ６が送信し（ステップＳ８）、アンテナ４Ａ、４Ｂに接続されたコントローラ５はその情報を受信する（ステップＳ１２）。
【００４６】
コントローラ５がセット情報を受信すると、一定の時間だけカセッテ６が所定の電波を送信し、アンテナ４Ａ、４Ｂにおいて受信する電波の強度をコントローラ５における電波強度測定部５６が測定する（ステップＳ１３）。そしてステップＳ１３における測定結果に基づき、コントローラ５がアンテナ４Ａ、４Ｂのうち通信状態の良い受信用のアンテナを選択し（ステップＳ１４）、その後、カセッテ６において取得される放射線画像データは、選択されたアンテナを介してコントローラ５において受信するようにする。このようにすることにより、無線通信に必要なタイミングでのみアンテナ選択の切替動作を行うことが出来るので、本来の放射線画像データの無線通信動作に影響を与えることなく、撮影室内のどこでも信頼性の高い無線通信が可能となる。
【００４７】
以上、図６のフローチャート図で説明したように、カセッテ６が放射線画像の検出箇所にセットされたことを加速度センサ６８により検出した際に、通信状態を確認し、通信状態が良いアンテナを選択するようにすれば、カセッテ６から電波を出力して常時２つのアンテナ４Ａ、４Ｂの通信状態を監視する必要はなく、良好な無線通信を可能にするとともにカセッテ６の電力消費を抑えることが出来る。その結果、一回の充電においてカセッテ６を使用した放射線画像の撮影回数を一定の値に維持することができ、また例えばカセット６とアンテナ４Ａ、４Ｂが遠く、通信時間が長くかかるような場合でも、電力消費を抑えた結果、より多くの通信時間を可能にすることが出来るため、良好に無線通信を行うことが出来る。
【００４８】
また、加速度センサ６８における出力信号の波形を利用することにより、カセッテ６が運搬状態から静止状態になったことをカセッテ６内の構成部品のみで簡易に検出することが出来る。
【００４９】
以上、本発明に係る内容を図１〜図６に示す実施形態に基づき説明したが、本発明は当該実施形態に限定されるものではなく、本発明の要旨を逸脱しない範囲における変更や追加があっても本発明に含まれる。
【００５０】
本実施形態は、放射線撮影装置３Ａ、３Ｂに近接したアンテナ４Ａ、４Ｂのうち通信状態の良いアンテナを選択する形態であるが、本発明はこのような形態に限らない。例えば、図７に示すように、可搬型のカセッテ６を臥位撮影台３３の上面３３Ａにおける任意の位置にのせて被写体Ｐの手や肘等を撮影することがある。そこで、臥位撮影台３３の周辺に複数のアンテナ４Ｃ〜４Ｆを設置し（複数のアンテナ４Ｃ〜４Ｆはコントローラに接続されている）、カセッテ６が臥位撮影台３３の上面３３Ａにセットされて患者の撮影部位に対して位置決めが完了すると、カセッテ６の動きが停止し、加速度センサ６８における波形のピーク値が所定の閾値以下になる。そこで出力信号をモニタリングし、波形のピーク値が所定の閾値以下になった際にカセッテ６が臥位撮影台３３において静止した状態であると検出する。
【００５１】
カセッテ６が臥位撮影台３３において静止した状態であると検出すると、カセッテ６のセットが完了した旨の情報であるセット情報をカセッテ６が送信し、複数のアンテナ４Ｃ〜４Ｆに接続されたコントローラはその情報を受信する。
【００５２】
コントローラがセット情報を受信すると、一定の時間だけカセッテ６が所定の電波を送信し、複数のアンテナ４Ｃ〜４Ｆにおいて受信する電波の強度をコントローラ５における電波強度測定部５６が測定する。そして測定結果に基づき、コントローラが複数のアンテナ４Ｃ〜４Ｆの中から通信状態の良い受信用のアンテナを選択し、その後、カセッテ６において取得される放射線画像データは、選択されたアンテナを介してコントローラにおいて受信するような形態でも良い。
【００５３】
また、本実施形態では、検出部として加速度センサ６８によりカセッテ６が放射線画像の検出箇所にセットされたことを検出するが、検出部はこれに限らない。例えば、本実施形態ではカセッテ６を放射線撮影装置３Ａ、３Ｂにおけるカセッテ装着部３１Ａ、３１Ｂに挿入した後で放射線画像を検出するが、カセッテ装着部３１Ａ、３１Ｂの挿入口に突起部材を設け、カセッテ６がその突起部材に接触し、接触してから所定時間経過後にカセッテ６が検出箇所にセットされたものとみなして、そのタイミングで通信状態の良いアンテナを選択するようにしてもよい。つまり、本発明の検出部は、カセッテ６が放射線画像の検出箇所にセットされたことを何らかの手法により把握出来れば、どのようなものであっても良い。
【符号の説明】
【００５４】
１  放射線画像取得システム
２  管理サーバ
３Ａ、３Ｂ  放射線撮影装置
４Ａ、４Ｂ、４Ｃ、４Ｄ、４Ｅ、４Ｆ  アンテナ
５  コントローラ
６  カセッテ
７  コンソール
４１Ａ、４１Ｂ、６７  無線通信部
４２Ａ、４２Ｂ  通信部
６１  制御部
６２  ＲＯＭ
６３  ＲＡＭ
６４  撮像パネル
６５  電源部
６６  記憶部
６８  加速度センサ
Ｎ  ネットワーク
【図１】
2010197679.tif 000003
【図２】
2010197679.tif 000004
【図３】
2010197679.tif 000005
【図４】
2010197679.tif 000006
【図５】
2010197679.tif 000007
【図６】
2010197679.tif 000008
【図７】
2010197679.tif 000009